(57)【特許請求の範囲】
【請求項１】
インナーと、前記インナーよりも大径なアウターとを有し、前記インナーと前記アウターとの間に間隙が形成された把持部と、
マッサージ位置に接触する接触面を有すると共に前記インナーと前記アウターとの間に形成された前記間隙に挿入され、前記インナーと前記アウターに案内されて前記把持部から突出する方向と前記把持部に挿入される方向に移動するヘッド部と、
前記把持部又は前記ヘッド部のいずれか一方に設けられたカム溝と、前記把持部又は前記ヘッド部のいずれか他方に設けられ前記カム溝に係合する係合部材と、前記ヘッド部を前記把持部から離間する方向に付勢する弾性部材とを具備する回転付勢機構とを有し、
前記回転付勢機構は、
前記ヘッド部が前記把持部に挿入される方向に移動する際に前記弾性部材に発生する弾性復元力により、前記ヘッド部を前記マッサージ位置に押圧する第１のマッサージ処理と、
前記ヘッド部の前記把持部に挿入される方向への移動に伴い、前記係合部材が前記カム溝内を相対的に移動することにより前記ヘッド部を回転させ、前記ヘッド部で前記マッサージ位置をねじる第２のマッサージ処理とを、
同時に行うことを特徴するマッサージ装置。
【請求項２】
前記移動に伴い回転する前記ヘッド部の回転角度を５°以上１８０°以下に設定したことを特徴とする請求項１記載のマッサージ装置。
【請求項３】
前記弾性部材としてばねを用い、該ばねのばね定数を０．１N/mm以上０．５N/mm以下に設定したことを特徴とする請求項１又は２記載のマッサージ装置。
【発明の詳細な説明】
【技術分野】
【０００１】
本発明は、手動によりマッサージを行うマッサージ装置に関する。
【背景技術】
【０００２】
一般に、手動により駆動されるマッサージ装置は、円柱状の回転体（ローラ）を備えた構成のものが多く提供されている（例えば、特許文献１参照）。この種のマッサージ装置は、ローラの回転によりマッサージ位置に刺激を与え、このマッサージ効果によって血行を良好とし皮膚の新陳代謝を活発にする構成とされていた。
【０００３】
また、つぼを押圧することによりマッサージ効果（指圧効果）を実現できるよう構成したマッサージ装置も提供されている（特許文献２参照）。この種のマッサージ装置は、使用者が把持する把持部に湾曲した弾性アーム部を設けると共に、この弾性アームの先端に押し圧部を設けた構成とされている。そして、使用者が把持部を把持し、押し圧部を所望するマッサージ位置に当接させ押圧することによりマッサージ効果を得る構成とされていた。
【先行技術文献】
【特許文献】
【０００４】
【特許文献１】実用新登録第３１０４１０７号公報
【特許文献２】特開２００８−２２９１１１号
【発明の概要】
【発明が解決しようとする課題】
【０００５】
しかしながら、局所的にこりがあるような場合は、ローラによるマッサージは適していない。これに対し、弾性アームの先端に押し圧部を設けた構成のマッサージ装置は、局所的なこりに対しては有効である。しかしながら、この従来の弾性アームの先端に押し圧部を設けた構成のマッサージ装置は、単に所望するマッサージ位置を垂直に押圧するだけの処理しかできなかった。
【０００６】
これに対し、人の指により指圧を行う場合、単にマッサージ位置を垂直に押圧するばかりでなく、指にねじり動作を加えることが行われる。このように、マッサージ位置を押圧する際、マッサージ位置に押圧動作に加えてにねじり動作を加えることにより、より効果的なマッサージを行うことが可能となる。
【０００７】
従来のマッサージ装置では、マッサージ位置を垂直に押圧することはできても、マッサージ位置をねじる動作を行うことはできなかった。このため、従来のマッサージ装置では、効果的なマッサージを十分に行うことができないという問題点があった。
【０００８】
本発明は上記の点に鑑みてなされたものであり、マッサージ時に押圧動作と共にねじり動作を同時に行いうるマッサージ装置を提供することを目的とする。
【課題を解決するための手段】
【０００９】
上記の課題は、第１の観点からは、
インナーと、前記インナーよりも大径なアウターとを有し、前記インナーと前記アウターとの間に間隙が形成された把持部と、
マッサージ位置に接触する接触面を有すると共に前記インナーと前記アウターとの間に形成された前記間隙に挿入され、前記インナーと前記アウターに案内されて前記把持部から突出する方向と前記把持部に挿入される方向に移動するヘッド部と、
前記把持部又は前記ヘッド部のいずれか一方に設けられたカム溝と、前記把持部又は前記ヘッド部のいずれか他方に設けられ前記カム溝に係合する係合部材と、前記ヘッド部を前記把持部から離間する方向に付勢する弾性部材とを具備する回転付勢機構とを有し、
前記回転付勢機構は、
前記ヘッド部が前記把持部に挿入される方向に移動する際に前記弾性部材に発生する弾性復元力により、前記ヘッド部を前記マッサージ位置に押圧する第１のマッサージ処理と、
前記ヘッド部の前記把持部に挿入される方向への移動に伴い、前記係合部材が前記カム溝内を相対的に移動することにより前記ヘッド部を回転させ、前記ヘッド部で前記マッサージ位置をねじる第２のマッサージ処理とを、
同時に行うことを特徴するマッサージ装置により解決することができる。
【発明の効果】
【００１０】
開示のマッサージ装置によれば、マッサージ時に押圧動作と共にねじり動作を同時に行うことができるため、効果的なマッサージを行うことが可能になる。
【図面の簡単な説明】
【００１１】
【図１】図１は、本発明の一実施形態であるマッサージ装置の概略構成を示す分解斜視図である。
【図２】図２は、本発明の一実施形態であるマッサージ装置の外観図である。
【図３】図３は、本発明の一実施形態であるマッサージ装置の動作を説明するための図であり、アウターのみを断面視した図である。
【図４】図４は、本発明の一実施形態であるマッサージ装置の動作を説明するための図であり、マッサージヘッドの動きを説明するための図である。
【図５】図５は、本発明の一実施形態であるマッサージ装置の動作を説明するための要部断面図である。
【図６】図６は、本発明の一実施形態であるマッサージ装置の変形例を説明するための図である。
【発明を実施するための形態】
【００１２】
次に、本発明の実施の形態について図面と共に説明する。
【００１３】
図１乃至図５は、本発明の一実施形態であるマッサージ装置１０Ａを説明するための図である。図１はマッサージ装置１０Ａの概略構成を示す分解斜視図であり、図２はマッサージ装置１０Ａの外観を示す斜視図であり、図３乃至図５はマッサージ装置１０Ａの動作を説明するための図である。
【００１４】
本実施形態に係るマッサージ装置１０Ａは主に美容に用いられるものであり、具体的には、使用者のわき腹、顔、首，頭等に対してマッサージを行う際に使用するものである。このマッサージ装置１０Ａは、大略すると把持部１、マッサージヘッド５、及び回転付勢機構６等を有した構成とされている。
【００１５】
把持部１は、図１に示すように、把持部本体２、インナー３、及びアウター４等を有した構成とされている。把持部本体２はマッサージ位置にマッサージを行際に使用者に把持される部位である。この把持部本体２は筒形状を有しており、よって内部に貫通穴２２が形成されている。また、把持部本体２の上端部（図中、矢印Ｘ２方向側の端部）の外周には、段差部２３が形成されている。
【００１６】
ところで、本実施形態に係るマッサージ装置１０Ａは、把持部本体２内に例えば化粧料等を装填した化粧料容器（例えば、エアゾール容器等）を収納可能な構成とされている。マッサージ装置１０Ａに化粧料容器を装着した場合には、後述するマッサージ動作に伴い化粧料をマッサージ位置に吐出することも可能である。なお以下の説明においては、説明及び図示の便宜上、化粧料容器を装着しない場合を例に挙げて説明するものとする。
【００１７】
インナー３は、インナー本体３１，鍔部３２，装着部３３及びノズル部３４を有した構成とされている。インナー本体３１は、大略すると有底筒状の形状とされている。このインナー本体３１の下端部（矢印Ｘ１方向の端部）の近傍には鍔部３２及び装着部３３が形成されている。
【００１８】
装着部３３は、把持部本体２の貫通穴２２に嵌入されるよう構成されている。また、装着部３３を把持部本体２に嵌入する際、鍔部３２が把持部本体２の上方側端部（Ｘ２方向側端部で、貫通穴２２の周縁部）と当接するまで挿入される。鍔部３２が把持部本体２の上方側端部と当接することにより、把持部本体２に対してインナー３の位置決めが行われる。
【００１９】
また、インナー本体３１の上方側端部（Ｘ２方向側端部）には、ノズル部３４が形成されている。ノズル部３４はインナー本体３１に対して小径とされており、よってノズル部３４とインナー本体３１との境界部分には段差部３７が形成される。
【００２０】
このノズル部３４には、図５に示すように孔３５が形成されている。この孔３５は、前記した化粧料容器を装着した場合には、化粧料容器から吐出される化粧料の通路として機能する。
【００２１】
アウター４は略筒形状を有しており、インナー３を覆うように配設される。このアウター４は、アウター本体４１、固定部４２、ヘッド受け部４３、及び係合ピン４５を有した構成とされている。
【００２２】
アウター本体４１の内径は、前記したインナー本体３１の外径よりも大きく設定されている。よって、アウター本体４１の内面と、インナー本体３１の外面との間には筒状の間隙９が形成される。
【００２３】
固定部４２は、アウター本体４１の下端部（Ｘ２方向側の端部）に形成されている。この固定部４２は把持部本体２の段差部２３に嵌着され、これによりアウター４は把持部本体２に固定される。この際、前記したインナー３を把持部本体２に装着した上で、固定部４２を段差部２３に嵌着する。
【００２４】
固定部４２の内壁でアウター本体４１の境界部には、段差部４２ａが形成されている。アウター４を把持部本体２に固定する際、この段差部４２ａはインナー３の鍔部３２と係合し、これを把持部本体２に向けて押圧する。よって、アウター４を把持部本体２に固定することにより、インナー３も把持部本体２に固定される。
【００２５】
ヘッド受け部４３は、アウター本体４１の上端部（Ｘ１方向側の端部）に形成されている。このヘッド受け部４３は、後述するヘッド部５２が移動可能に（Ｘ１，Ｘ２方向に移動可能に）収納される。
【００２６】
係合ピン４（請求項に記載の係合部材に相当する）は回転付勢機構６を構成するものであり、アウター本体４１に配設されている。この係合ピン４５は、アウター本体４１の内壁から内側に向け突出している。
【００２７】
マッサージヘッド５（請求項に記載のヘッド部に相当する）は、外側筒部５１、ヘッド部５２、及び内側筒部５８を一体的に形成した構成とされている。本実施形態では、マッサージヘッド５はＴＰＵ（熱可塑性ポリウレタンエラストマー）により形成されている。このＴＰＵはゴムのような弾力性と、硬質プラスチックのような強靭さとを共に有した特性を有している。なお、マッサージヘッド５の材質はＴＰＵに限定されるものではなく、後述する所定の硬度を有するものであれば、金属、木、ガラス、石、ゴム、など各種素材を用いることが可能である。
【００２８】
外側筒部５１は、前記したインナー３とアウター４との間に移動可能に挿入される。即ち、前記したようにアウター本体４１の内面とインナー本体３１の外面との間には筒状の間隙９が形成されるが、外側筒部５１はこの間隙９内に移動可能（Ｘ１，Ｘ２方向に移動可能）に挿入される。よって、マッサージヘッド５は、インナー３及びアウター４に案内されて図中矢印Ｘ１，Ｘ２方向に移動する。また、外側筒部５１の表面には、後述する回転付勢機構６を構成するカム溝５５Ａが形成されている。
【００２９】
ヘッド部５２の直径は、外側筒部５１の直径より大きく設定されている。このヘッド部５２は、アウター４のヘッド受け部４３の内部に移動可能に装着される。このヘッド部５２の上面は、マッサージ装置１０Ａを用いてマッサージを行う際にマッサージ位置（使用者の肌）に接触する接触面５３とされている。
【００３０】
接触面５３は、複数の凸部５４，５６が形成されている（図４に詳しい）。本実施形態では、円形状の接触面５３の中心位置に凸部５６が形成され、この凸部５６を中心として４５°間隔で４個の凸部５４が同心円的に形成されている。また、凸部５６の中心位置には、孔５７が形成されている。
【００３１】
マッサージ装置１０Ａの使用時において接触面５３をマッサージ位置に押圧した際、この凸部５４，５６はマッサージ位置に押し付けられ、これによりマッサージ位置と接触面５３との間に滑りが発生することを防止する。これにより、後述するねじり効果をマッサージ位置に有効に作用させることができる。
【００３２】
内側筒部５８は外側筒部５１の内部に形成されており、接触面５３の裏面から下方に向けて（Ｘ１方向に向けて）延出するよう形成されている。前記したインナー３に形成されたノズル部３４は、この内側筒部５８内に挿入される。この際、ノズル部３４は内側筒部５８に移動可能となるよう構成されている。
【００３３】
またインナー３及びアウター４にマッサージヘッド５を装着する際、図５に示すように、内側筒部５８の外周位置にはばね７が装着され、また内側筒部５８の内部にはスポンジ８が装着される。ばね７は回転付勢機構６を構成するものであり、インナー３に対してマッサージヘッド５をＸ２方向に付勢する機能を奏する。また、スポンジ８は、孔５７を閉塞する機能を奏する。
【００３４】
次に、回転付勢機構６について説明する。回転付勢機構６は、マッサージヘッド５をマッサージ位置に押圧することにより、このマッサージヘッド５を回転させる機能を奏するものである。この回転付勢機構６は、係合ピン４５、カム溝５５Ａ、及びばね７等により構成されている。
【００３５】
係合ピン４５は前記のようにアウター４のアウター本体４１に配設されており、その先端部分はアウター本体４１の内壁から内側に向け突出している。また、カム溝５５Ａは円筒部５１の表面に形成されている。またカム溝５５Ａの形状は、図３に示すように右上向から左下方に延在した形状（螺旋状の形状）とされている。係合ピン４５は、図３に示されるように、カム溝５５Ａと係合した構成とされている。よって、係合ピン４５とカム溝５５Ａは、協働して円筒カムを構成する。
【００３６】
ばね７は本実施形態ではコイルばねを用いており、図５に示されるように接触面５３の裏面とインナー３（具体的には、段差部３７）との間に配設されている。このばね７の弾性力により、マッサージヘッド５はインナー３に対して矢印Ｘ２方向に付勢されている。
【００３７】
次に、図３乃至図５を用いて、上記構成とされたマッサージ装置１０Ａの動作について説明する。なお、図３（Ａ），図４（Ａ），図５（Ａ）はマッサージ装置１０Ａを使用者のマッサージ位置に押圧する前の状態（以下、押圧前状態という）を示しており、図３（Ｂ），図４（Ｂ），図５（Ｂ）はマッサージ装置１０Ａを使用者のマッサージ位置に押圧した状態（以下、押圧状態という）を示している。
【００３８】
押圧前状態では、ばね７は伸長した状態となっておりマッサージヘッド５はインナー３及びアウター４に対して矢印Ｘ２方向に移動した状態となっている。この押圧前状態では、マッサージヘッド５のヘッド部５２はアウター４のヘッド受け部４３から突出した状態となっている。
【００３９】
なお、押圧前状態においてもばね７はマッサージヘッド５を矢印Ｘ２方向に付勢しているが、アウター４とマッサージヘッド５との間には、図示しない係止機構が設けられており、図３（Ａ），図４（Ａ），図５（Ａ）に示す位置よりマッサージヘッド５が更にＸ２方向に移動することを規制している。
【００４０】
この押圧前状態から、使用者がマッサージ装置１０Ａの把持部１を把持してマッサージヘッド５をマッサージ位置に押圧する（押し当てる）と、マッサージヘッド５はばね７の弾性力に抗して矢印Ｘ１方向に移動を開始する。
【００４１】
この際、回転付勢機構６を構成する係合ピン４５はカム溝５５Ａに係合している。このため、マッサージヘッド５のＸ１方向の移動に伴い、係合ピン４５が相対的にカム溝５５Ａ内を進行する。カム溝５５Ａは前記のように右上方から左下方に延出した形状（螺旋状の形状）を有しているため、係合ピン４５がカム溝５５Ａ内を相対的に移動することにより、マッサージヘッド５には回転が発生する。このように、本実施形態に係るマッサージ装置１０Ａは、マッサージヘッド５がＸ１方向に移動することにより、この移動に伴いマッサージヘッド５には図中矢印Ａ１方向の回転が発生する。
【００４２】
マッサージ装置１０Ａの使用時においては、マッサージヘッド５の接触面５３は使用者のマッサージ位置（使用者の肌）に触れた状態となっている。よって、本実施形態のようにマッサージヘッド５がＸ１方向に移動すると共に接触面５３が回転することにより、マッサージ位置はマッサージヘッド５に押圧されると共にねじり付勢された状態となる。
【００４３】
このように、本実施形態に係るマッサージ装置１０Ａによれば、マッサージ位置の押圧とねじりの二つのマッサージ処理を同時に行うことができるため、従来のような単に押圧するだけのマッサージに比べ、より効果的なマッサージを簡単に行うことが可能となる。
【００４４】
なお、押圧状態からマッサージ装置１０Ａをマッサージ位置から離間させると、ばね７は弾性復元し、マッサージヘッド５はＸ２方向に伸長すると共に逆回転（Ａ２方向へ回転）して再び押圧前状態に戻る。
【００４５】
ところで、マッサージ装置１０Ａによるマッサージ位置のねじり量は、マッサージヘッド５（接触面５３）の回転量によって決められる。本実施形態では、Ｘ１方向への移動に伴い回転するマッサージヘッド５（接触面５３）の回転角度を5°以上180°以下に設定した。これは、接触面５３の回転角度が５°未満になった場合はねじり量が少なく、ねじりによるマッサージ効果が十分に発揮できないからである。また、接触面５３の回転角度が180°を越えると、マッサージ位置が過剰にねじられ、やはり有効なマッサージ効果が得られないからである。
【００４６】
また、マッサージ装置１０Ａの使用感の向上を図るためには、使用者がマッサージ装置１０Ａをマッサージ位置に押圧した際に、円滑にマッサージヘッド５が回転する必要がある。また、マッサージヘッド５が円滑に回転するためには、ばね７のばね定数を適正化する必要がある。本実施形態では、ばね７のばね定数を0.1N/mm以上0.5N/mm以下に設定している。
【００４７】
これは、ばね７のばね定数を0.1N/mm未満とした場合には軽い押圧力でマッサージヘッド５が移動及び回転してしまうため、十分な指圧効果が得られないと共に、接触面５３とマッサージ位置（使用者の肌）との間で滑りが生じて有効なねじりが行われなくなるからである。
【００４８】
また、ばね７のばね定数を0.5N/mmを超す値に設定した場合には、マッサージ装置１０Ａをマッサージ位置に押圧してもマッサージヘッド５がＸ１方向に容易に移動せず、よって接触面５３の回転量も小さくなる。このため、マッサージ位置を十分にねじることかできず、ねじりによるマッサージ効果が低減してしまうからである。
【００４９】
また、良好なねじりによるマッサージを実現するためには、使用時におけるマッサージヘッド５のＸ１方向の移動量と接触面５３の回転角度との関係を適正化する必要がある。即ち、マッサージヘッド５のＸ１方向の移動量が長いにも拘らず接触面５３の回転角度が小さいとねじりによるマッサージ効果は低減してしまう。逆に、マッサージヘッド５のＸ１方向の移動量に対して接触面５３の回転角度が大きいと、肌と接触面５３との間に滑りが発生したり、マッサージ位置の肌が過剰にねじられてしまったりして、使用性が低下してしまう。
【００５０】
そこで本実施形態では、マッサージヘッド５がＸ１方向に20mm移動した際、マッサージヘッド５（接触面５３）が45°回転するよう設定されている。この構成とすることにより、マッサージヘッド５のＸ１方向の移動に伴う指圧効果と、段差部２３の回転に伴うねじりによるマッサージ効果のバランスを適正化することができる。
【００５１】
なお、マッサージヘッド５のＸ１方向への移動量に対する回転角度は、上記の実施形態に限定されるものではなく、適宜調整が可能なものである。例えば本実施形態では、マッサージヘッド５の20mmの移動で回転角度を5°〜180°の回転範囲で設定することができる。
【００５２】
図６は、図１乃至図５に示したマッサージ装置１０Ａの変形例であるマッサージ装置１０Ｂを示している。なお、図６において、図１乃至図５に示したマッサージ装置１０Ａの構成と対応する構成については同一符号を付して、その説明を省略する。
【００５３】
上記したマッサージ装置１０Ａは、マッサージヘッド５をマッサージ位置に押圧する際、図中矢印Ａ１で示す方向にのみマッサージヘッド５が回転する構成とされていた。即ち、マッサージ装置１０Ａは、マッサージ位置において接触面５３が接触する肌を一方向にのみねじる構成とされていた。
【００５４】
これに対して変形例に係るマッサージ装置１０Ｂは、マッサージヘッド５をマッサージ位置に押圧する（押し当てる）際にマッサージヘッド５がＡ１方向及びＡ２方向の双方向に回転するよう構成したことを特徴とするものである。
【００５５】
前記したマッサージ装置１０Ａは、マッサージヘッド５の外側筒部５１に
右上方から左下方に向けて延在するカム溝５５Ａを形成した。これに対して本変形例では、横Ｖ字状のカム溝５５Ｂを形成したことを特徴としている。このカム溝５５Ｂは、位置Ｐを中心として斜め下方に延出するカム部５５Ｂ−１と、位置Ｐを中心として斜め上方に延出するカム部５５Ｂ−２とを有している。
【００５６】
押圧前状態では、係合ピン４５は位置Ｐよりも下側（Ｘ１側）に位置するカム部５５Ｂ−１と係合している。よって、押圧前状態からマッサージ装置１０Ｂがマッサージ位置に押圧されると、係合ピン４５は相対的にカム部５５Ｂ−１内を移動し、よってマッサージヘッド５はＡ１方向に回転する。そして、係合ピン４５が位置Ｐを通過してカム部５５Ｂ−２に至ると、マッサージヘッド５の回転方向は逆転してはＡ１方向に回転することとなる。
【００５７】
このように本変形例に係るマッサージ装置１０Ｂは、マッサージヘッド５が押圧状態となるまでマッサージヘッド５がＸ１方向に移動する間に、マッサージヘッド５はＡ１方向の回転とＡ２方向の回転の二方向の回転を行うことができる。これにより、単一方向にのみマッサージヘッド５（接触面５３）が回転するマッサージ装置１０Ａに比べ、更にねじりによるマッサージ効果を高めることができる。
【００５８】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００５９】
例えば、上記した実施形態ではアウター４に係合ピン４５を設けると共にマッサージヘッド５にカム溝５５Ａ，５５Ｂを形成した例を示した。しかしながら、アウター４（アウター本体４１）の内壁にカム溝を形成すると共に、このカム溝と係合する係合ピンをマッサージヘッド５に設けた構成とすることによっても、上記した実施形態と同様の効果を得ることができる。
【００６０】
また、上記した実施形態では、アウター４に対して１個のマッサージヘッド５のみを設けた構成例を示した。しかしながら、アウター４に配設するマッサージヘッド５の数は１個に限定されるものではなく、複数個のマッサージヘッドを配設することも可能である。
【００６１】
この際、肌に押し付けることにより回転するマッサージヘッドの方向は、全てのマッサージヘッドにおいて同一方向とする必要はなく、個々のマッサージヘッドにおいて回転方向が異なるよう設定することも可能である。更に、各マッサージヘッド毎にばねのばね定数を変化させたり、Ｘ１方向に移動した際の回転量を変化させたりすることも可能である。これにより、一つのマッサージ装置で異なる種類の複数のマッサージを行なうことができ、マッサージ効果をより向上させることが可能となる。
【符号の説明】
【００６２】
１  把持部
２  把持部本体
３  インナー
４  アウター
５  マッサージヘッド
６  回転付勢機構６
７  ばね
１０Ａ，１０Ｂ  マッサージ装置
３１  インナー本体
３３  装着部
３４  ノズル部
４１  アウター本体
４２  固定部
４３  ヘッド受け部
４４  貫通穴
４５  係合ピン
５１  外側筒部
５２  ヘッド部
５３  接触面
５４，５６  凸部
５５Ａ，５５Ｂ  カム溝
５８  内側筒部
【図１】
0005701646.tif 000002
【図２】
0005701646.tif 000003
【図３】
0005701646.tif 000004
【図４】
0005701646.tif 000005
【図５】
0005701646.tif 000006
【図６】
0005701646.tif 000007